(57)【要約】【課題】室内ファンの回転音によって音声報知が聞こえにくい問題がある。【解決手段】音声報知部３０（音声報知手段）により音声が報知される際に、室内ファン制御部３３により通常運転時における室内ファン１６の最大回転数より小さい上限回転数以下に室内ファン１６の回転数が制限される。【選択図】図３
2015064137.tif 000002
【特許請求の範囲】
【請求項１】
室内ファンと、
所定情報を音声で報知する音声報知手段と、
前記室内ファンを制御する制御手段とを備え、
前記制御手段は、
前記音声報知手段により音声が報知される際に、通常運転時における前記室内ファンの最大回転数より小さい上限回転数以下に前記室内ファンの回転数を制限することを特徴とする空気調和機。
【請求項２】
運転状況または環境状況に基づいて、所定情報を自動的に音声で報知する自動音声報知手段を有しており、
前記制御手段は、
前記自動音声報知手段による自動音声報知が行われ得る自動音声報知モード時において、前記室内ファンの回転数を前記上限回転数以下に制限することを特徴とする請求項１に記載の空気調和機。
【請求項３】
室内温度を検出する室内温度センサと、
室内湿度を検出する室内湿度センサとを備え、
前記自動音声報知モードが、
室内温度および室内湿度の少なくとも一方が所定範囲外である場合に、運転開始を促す情報または運転内容の変更を促す情報を自動的に音声で報知するお知らせモードであることを特徴とする請求項２に記載の空気調和機。
【請求項４】
圧縮機、凝縮器、膨張弁および蒸発器を接続した冷媒回路を備え、
前記制御手段は、
前記音声報知手段により音声が報知される際に、前記圧縮機の最大周波数より小さい上限周波数以下に前記圧縮機の周波数を制限することを特徴とする請求項１−３のいずれかに記載の空気調和機。
【発明の詳細な説明】
【技術分野】
【０００１】
本発明は、所定情報を音声で報知する音声報知手段を備える空気調和機に関するものである。
【背景技術】
【０００２】
従来の空気調和機として、例えばリモコン操作が行われた場合に、リモコンで操作された運転設定を音声によってユーザに知らせるものがある。
【先行技術文献】
【特許文献】
【０００３】
【特許文献１】特許第４５６１５２３号公報
【発明の概要】
【発明が解決しようとする課題】
【０００４】
ところで、空気調和機では、運転状況または環境状況に基づいて、所定情報を自動的に音声で報知する手段を備えることが考えられる。例えば、室内温度および室内湿度が高温高湿の危険ゾーンである場合には、冷房運転開始を促す情報を自動的に音声で報知することが考えられる。また例えば、室外温度が空気調和機の設定温度よりも低い場合には、冷房運転停止を促す情報を自動的に音声で報知することが考えられる。しかし、この空気調和機において、リモコンで操作された運転設定を音声によってユーザに知らせるときや、所定情報を自動的に音声によってユーザに知らせるときに、室内機内の室内ファンの回転数が大きいと、室内ファンの回転音によって音声報知が聞こえにくい問題がある。
【０００５】
そこで、本発明の目的は、室内ファンの回転音によって音声報知が聞こえにくい問題を解消できる空気調和機を提供することである。
【課題を解決するための手段】
【０００６】
第１の発明にかかる空気調和機は、室内ファンと、所定情報を音声で報知する音声報知手段と、前記室内ファンを制御する制御手段とを備え、前記制御手段は、前記音声報知手段により音声が報知される際に、通常運転時における前記室内ファンの最大回転数より小さい上限回転数以下に前記室内ファンの回転数を制限することを特徴とする。
【０００７】
この空気調和機では、音声報知手段により音声が報知される際に、通常運転時における室内ファンの最大回転数より小さい上限回転数以下に室内ファンの回転数が制限されるので、室内ファンの回転音によって音声報知が聞こえにくい問題を解消できる。
【０００８】
第２の発明にかかる空気調和機は、第１の発明にかかる空気調和機において、運転状況または環境状況に基づいて、所定情報を自動的に音声で報知する自動音声報知手段を有しており、前記制御手段は、前記自動音声報知手段による自動音声報知が行われ得る自動音声報知モード時において、前記室内ファンの回転数を前記上限回転数以下に制限することを特徴とする。
【０００９】
この空気調和機では、自動音声報知が行われ得る自動音声報知モード時において、室内ファンの回転音によって音声報知が聞こえにくい問題を解消できる。
【００１０】
第３の発明にかかる空気調和機は、第２の発明にかかる空気調和機において、室内温度を検出する室内温度センサと、室内湿度を検出する室内湿度センサとを備え、前記自動音声報知モードが、室内温度および室内湿度の少なくとも一方が所定範囲外である場合に、運転開始を促す情報または運転内容の変更を促す情報を自動的に音声で報知するお知らせモードであることを特徴とする。
【００１１】
この空気調和機では、高温または高湿時など空調空間内の環境が危険状態である場合に自動的に音声で報知するお知らせモードにおいて、室内ファンの回転音によって音声報知が聞こえにくい問題が解消されるので、音声報知を聞き逃してユーザが熱中症などになるのを防止できる。
【００１２】
第４の発明にかかる空気調和機は、第１−第３のいずれかの発明にかかる空気調和機において、圧縮機、凝縮器、膨張弁および蒸発器を接続した冷媒回路を備え、前記制御手段は、前記音声報知手段により音声が報知される際に、前記圧縮機の最大周波数より小さい上限周波数以下に前記圧縮機の周波数を制限することを特徴とする。
【００１３】
この空気調和機では、音声報知手段により音声が報知される際に、圧縮機の最大周波数より小さい上限周波数以下に圧縮機の周波数が制限されるので、室内ファンの回転数が制限されている間に圧縮機の周波数が高い状態のままとなって、圧縮機の内部が高圧となるのを防止できる。
【発明の効果】
【００１４】
以上の説明に述べたように、本発明によれば、以下の効果が得られる。
【００１５】
第１の発明では、音声報知手段により音声が報知される際に、通常運転時における室内ファンの最大回転数より小さい上限回転数以下に室内ファンの回転数が制限されるので、室内ファンの回転音によって音声報知が聞こえにくい問題を解消できる。
【００１６】
第２の発明では、自動音声報知が行われ得る自動音声報知モード時において、室内ファンの回転音によって音声報知が聞こえにくい問題を解消できる。
【００１７】
第３の発明では、高温または高湿時など空調空間内の環境が危険状態である場合に自動的に音声で報知するお知らせモードにおいて、室内ファンの回転音によって音声報知が聞こえにくい問題が解消されるので、音声報知を聞き逃してユーザが熱中症などになるのを防止できる。
【００１８】
第４の発明では、音声報知手段により音声が報知される際に、圧縮機の最大周波数より小さい上限周波数以下に圧縮機の周波数が制限されるので、室内ファンの回転数が制限されている間に圧縮機の周波数が高い状態のままとなって、圧縮機の内部が高圧となるのを防止できる。
【図面の簡単な説明】
【００１９】
【図１】本発明の実施形態にかかる空気調和機の冷媒回路を示す回路図である。
【図２】図１に示す空気調和機の室内機の断面図である。
【図３】図１に示す空気調和機のブロック図である。
【図４】室内温度および室内湿度が所定範囲外であるか否かを判断する判定図である。
【図５】図１に示す空気調和機の動作を示すフローチャートである。
【図６】図１に示す空気調和機の動作を示すタイミングチャートである。
【発明を実施するための形態】
【００２０】
以下、図面を参照しつつ本発明の実施形態にかかる空気調和機について説明する。
【００２１】
［空気調和機の構成］
図１に示すように、本実施形態の空気調和機１は、室内に設置される室内機２と、室外に設置される室外機３と、空気調和機１と通信可能なリモコン４（図３参照）とを有する。この空気調和機１は、圧縮機１０と、四方弁１１と、室外熱交換器１２と、膨張弁（減圧機構）１３と、室内熱交換器１４とを接続した冷媒回路を有する。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００２２】
空気調和機１は、冷房運転、暖房運転、除湿運転、加湿運転などの運転が可能であって、制御部５によって、いずれかの運転を選択して運転開始操作を行ったり、運転切換操作や運転停止操作を行ったりすることができる。
【００２３】
冷房運転および除湿運転では、図示実線矢印で示すように、圧縮機１０から吐出される冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００２４】
一方、暖房運転では、四方弁１１が切り換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００２５】
室内機２は、図２に示すように、吸込口１８と吹出口１９を有する。室内機２内には、吸込口１８から吹出口１９に向かって空気流路が形成され、この空気流路には、室内熱交換器１４と、横流型の室内ファン１６が配置される。室内機２の吹出口１９には、上下方向について空気流の吹き出し方向を変更する上下風向板１７が回動可能に配置される。また、室内機２には、図１及び図３に示すように所定情報を音声で報知するスピーカー２０（音声報知手段）と、室内温度を検出する室内温度センサ２１と、室内湿度を検出する室内湿度センサ２２とが設置されている。
【００２６】
リモコン４は、室内機２および室外機３と赤外線通信可能であって、室内機２及び室外機３の制御に係る各種指令をユーザの操作に応じて送信する。このリモコン４により、ユーザは、空気調和機１の各種運転設定を設定できる。具体的には、このリモコン４により、ユーザは、冷房運転、暖房運転等の運転モードの選択や、設定温度、設定湿度、風量設定、および上下風向板１７の風向設定などの設定・変更操作を行うことができる。また、このリモコン４により、ユーザは、自動運転を選択できる。なお、このリモコン４は、空気調和機１に付属された通常のリモコンの他、空気調和機１と通信可能なスマートフォンなどの端末装置であってもよい。
【００２７】
自動運転とは、空気調和機１で決定された運転設定に基づいて空気調和機１の運転が行われる運転モードである。空気調和機１の運転中や運転停止中に、ユーザによって自動運転が選択されると、この自動運転が開始される。自動運転では、例えば空気調和機１で検出または取得した室内温湿度および室外温湿度などに基づいて、快適性および省エネ性が両立される運転設定が自動で決定され、決定された運転設定に基づいて空気調和機１の運転が行われる。
【００２８】
制御部５は、ＣＰＵ（Central Processing Unit）、ＲＯＭ（Read Only Memory）、ＲＡＭ（Random Access Memory）などの複数のハードウェアから構成されている。ＲＯＭには、制御部５の動作を制御する制御プログラムなどが格納されている。そして、この制御部５は、図３に示すように、音声報知部３０（音声報知手段）、室内ファン制御部３３、および圧縮機制御部３４を有し、リモコン４、室内ファン１６、室内温度センサ２１、室内湿度センサ２２、スピーカー２０（音声報知手段）、および圧縮機１０などと電気的に接続されている。
【００２９】
音声報知部３０（音声報知手段）は、スピーカー２０を介して所定情報を音声で報知する。この音声報知部３０は、リモコンで操作された運転設定に応答してリモコン操作に対応した情報を報知する応答音声報知部３１と、所定情報を自動的に音声で報知する自動音声報知部３２（自動音声報知手段）とを有する。
【００３０】
応答音声報知部３１では、運転設定（運転開始、運転停止、冷房運転・暖房運転などの運転モード、設定温度、設定湿度、タイマ設定など）の切換操作、および運転設定の確認操作などのリモコン操作に応答して、そのリモコン操作に対応した情報（所定情報）を音声で報知する。例えば、ユーザがリモコン４を操作することにより運転開始設定が行われた場合には、「運転が開始されました」という音声または例えば「ピッ」というブザー音（音声）が報知される。なお、所定情報には、このブザー音が含まれるが、含まれなくてもよい。
【００３１】
自動音声報知部３２（自動音声報知手段）では、運転状況または環境状況に基づいて、所定情報を自動的に音声で報知する。この自動音声報知は、空気調和機１の「自動音声報知モード」が設定（「入」）されている場合に行われる。なお、後述する「お知らせモード」は、「自動音声報知モード」の一つである。ここで、「運転状況または環境状況」とは、例えば、室内温度、室内湿度、室外温度、室外湿度、室内熱交温度、室外熱交温度、冷媒温度、圧縮機１０の吐出管温度、圧縮機１０の潤滑油温度、上記した各温度同士の差、上記した各温度と設定温度との差、図示しない人検出センサで検出された人の存否などがある。ただし、「運転状況または環境状況」とは、これらに限定されるものではない。
【００３２】
この自動音声報知の具体的な例としては、室内温度センサ２１で検出された室内温度および室内湿度センサ２２で検出された室内湿度が所定範囲外（危険ゾーン）である場合がある。
【００３３】
図４は、室内温度および室内湿度が所定範囲外であるか否かの判定図の一例である。この判定図には、室内温度および室内湿度が所定範囲外の危険ゾーンと、室内温度および室内湿度が所定範囲内の待機ゾーンとが設定される。危険ゾーンは、室内が高温状態や高湿状態であって、室内温度や室内湿度を低下させる必要がある領域である。待機ゾーンは、室内温度や室内湿度を低下させる必要がない領域である。
【００３４】
図４の判定図において、Ａ点〜Ｃ点は、下記の室内温度及び室内湿度である点を示す。
・Ａ点：室内温度が２７度であり、室内湿度が１００％である点
・Ｂ点：室内温度が２７度であり、室内湿度が７０〜８０％の間のｙ１である点
・Ｃ点：室内温度が３３度であり、室内湿度が３０％である点
【００３５】
そして、Ａ点とＢ点とＣ点を接続した線ｌ１が、待機ゾーンと危険ゾーンの間の線である。したがって、図４の判定図に示すように、待機ゾーンは、線ｌ１の左下の領域であって、危険ゾーンは、線ｌ１の右上の領域（室内温度及び室内湿度が線ｌ１上にある場合を含む）である。
【００３６】
室内温度および室内湿度が所定範囲外である危険ゾーンにある場合において、空気調和機１の運転が停止されている場合には、冷房運転の運転開始を促す情報が自動的に音声で報知される。具体的には、例えば「室温が高くなりました。冷房運転を開始してください」という音声が報知される。また、空気調和機１の運転が行われている場合には、運転設定の変更（例えば運転モードの変更や設定温度の低下）を促す情報が自動的に音声で報知される。  
【００３７】
また、自動音声報知のその他の具体的な例としては、例えば室内温度センサ２１で検出された室内温度が設定温度に到達する場合がある。この場合、「まもなく設定温度に近づきます」という音声が自動的に報知される。また、他にも図示しない室外温度センサで検出された室外温度が設定温度よりも低い場合がある。この場合、「設定温度よりも室外温度が低くなりました」という音声が自動的に報知される。また、他にも図示しない人検出センサで空調空間内に人が不在であることを検知した場合がある。この場合、「不在を検知しました。設定温度をひかえめにします」という音声が自動的に報知される。また、他にも自動運転が行われている際に手動で運転設定を変更した場合において、所定時間経過後に自動運転の運転設定に復帰する場合がある。この場合、「自動復帰設定により自動運転に変更しました」という音声が自動的に報知される。
【００３８】
室内ファン制御部３３は、空気調和機１の高温防止モードの「お知らせモード」である場合に、室内ファン１６の回転数を、通常運転時における室内ファン１６の最大回転数Ｔ１より小さい上限回転数Ｔ２以下に制限する。ここで高温防止モードとは、「お知らせモード」と「強制運転モード」とからなる。そして、「お知らせモード」とは、室内温度および室内湿度が所定範囲外の危険ゾーンである場合に、運転開始を促す情報または運転内容の変更を促す情報を自動的に音声で報知するモードである。特に、本実施形態では、室内温度および室内湿度が所定範囲外の危険ゾーンである場合であって、空気調和機１の運転停止中または空気調和機１の運転中（冷房運転、自動運転以外に限る）に、冷房運転を促す情報を自動的に音声で報知している。一方、「強制運転モード」とは、室内温度および室内湿度が所定範囲外の危険ゾーンである場合に、運転開始または運転内容の変更を強制的に実行するモードである。ユーザは、リモコン操作により高温防止モードにおいて、「お知らせモード」と「強制運転モード」のいずれかを選択できる。また、ユーザは、リモコン操作により高温防止モードを設定するか否か（高温防止モードの「入」／「切」）を選択できる。
【００３９】
この室内ファン制御部３３は、空気調和機１の高温防止モードが「お知らせモード」に設定された場合において、室内ファン１６の回転数が上限回転数Ｔ２より大きい場合には、室内ファン１６の回転数を上限回転数Ｔ２以下の所定回転数に変更する。また、お知らせモード時の間は、室内ファン１６の回転数が上限回転数Ｔ２よりも大きくならないように室内ファン１６の回転数を制御する。したがって、お知らせモード時の間は、例えばユーザが最大風量（室内ファン１６の回転数が上限回転数Ｔ２より大きくなる風量）を選択しても、室内ファン１６の回転数が上限回転数Ｔ２より大きくならない。一方、空気調和機１の高温防止モードが「お知らせモード」に設定された場合において、室内ファン１６の回転数が上限回転数Ｔ２以下の場合（空気調和機１が運転停止中の場合を含む）には、お知らせモード時の間、室内ファン１６の回転数が上限回転数Ｔ２よりも大きくならないように室内ファン１６の回転数を制御する。なお、本実施形態においては、「通常運転時」とは、空気調和機１の高温防止モードが「強制運転モード」であるときや、空気調和機１の高温防止モードが設定されていない場合（高温防止モード「切」の場合）を指す。
【００４０】
圧縮機制御部３４は、空気調和機１の高温防止モードが「お知らせモード」である場合に、圧縮機１０の周波数を、圧縮機１０の最大周波数Ｈ１より小さい上限周波数Ｈ２以下に制限する。すなわち、室内ファン１６の回転数が、最大回転数Ｔ１より小さい上限回転数Ｔ２以下に制限されている間、圧縮機１０の周波数も最大周波数Ｈ１より小さい上限周波数Ｈ２以下に制限される。具体的には、空気調和機１の高温防止モードが「お知らせモード」に設定された場合において、圧縮機１０の周波数が上限周波数Ｈ２よりも大きい場合には、圧縮機１０の周波数を上限周波数Ｈ２以下の所定周波数に変更する。また、お知らせモード時の間は、圧縮機１０の周波数が上限周波数Ｈ２よりも大きくならないように圧縮機１０の周波数を制御する。一方、空気調和機１の高温防止モードが「お知らせモード」に設定された場合において、圧縮機１０の周波数が上限周波数Ｈ２以下の場合（空気調和機１が運転停止中の場合を含む）には、お知らせモード時の間、圧縮機１０の周波数が上限周波数Ｈ２よりも大きくならないように圧縮機１０の周波数を制御する。
【００４１】
なお、「お知らせモード」が「強制運転モード」に変更された場合や、空気調和機１の高温防止モードが「切」に設定された場合には、室内ファン１６の回転数の制限および圧縮機１０の周波数の制限は解除される。
【００４２】
次に、図５のフローチャートを参照しつつ空気調和機１の動作（フロー）について説明する。なお、フロー開始時においては、「お知らせモード」が設定されていないものとする。
【００４３】
まず、「お知らせモード」が設定されたか否かを繰り返し判断する（Ｓ１）。「お知らせモード」が設定された場合（Ｓ１：Ｙｅｓ）、室内ファン１６の回転数を上限回転数Ｔ２以下の所定回転数に制限するとともに（Ｓ２）、圧縮機１０の周波数を上限周波数Ｈ２以下の所定周波数に制限する（Ｓ３）。次に、「お知らせモード」の設定が解除されたか否か（より詳しくは、「お知らせモード」が「強制運転モード」に変更されたか否か、または空気調和機１の高温防止モードが「切」に設定されたか否か）を繰り返し判断する（Ｓ４）。「お知らせモード」が解除された場合（Ｓ４：Ｙｅｓ）、室内ファン１６の回転数の制限および圧縮機１０の周波数の制限を解除して（Ｓ５）、ステップＳ１に戻る。
【００４４】
次に、図６のタイミングチャートを参照しつつ空気調和機１の動作（フロー）について説明する。なお、フロー開始時（ｔ０）においては、室内ファン１６の回転数が最大回転数Ｔ１に設定され、圧縮機１０の周波数が最大周波数Ｈ１に設定されているものとする。
【００４５】
まず、「お知らせモード」が設定されると（ｔ１）、室内ファン１６の回転数が最大回転数Ｔ１から上限回転数Ｔ２以下の所定回転数に制限されるとともに、圧縮機１０の周波数が最大周波数Ｈ１から上限周波数Ｈ２以下の所定周波数に制限される。そして、「お知らせモード」中に、判定ゾーンが待機ゾーンから危険ゾーンになると（ｔ２）、自動音声報知の報知が開始され（ｔ３）、判定ゾーンが危険ゾーンから待機ゾーンに戻ると（ｔ４）、自動音声報知の報知が終了する（ｔ５）。また、高温防止モードが、「お知らせモード」から「強制運転モード」に変更されると（ｔ６）、室内ファン１６の回転数の制限および圧縮機１０の周波数の制限が解除され、元の回転数および周波数に戻る。
【００４６】
［本実施形態の空気調和機の特徴］
本実施形態の空気調和機１には、以下の特徴がある。
【００４７】
本実施形態の空気調和機１では、自動音声報知が行われ得る自動音声報知モード時（本実施形態では、お知らせモード時）において、通常運転時における室内ファン１６の最大回転数Ｔ１より小さい上限回転数Ｔ２以下に室内ファン１６の回転数が制限されるので、音声報知部３０（音声報知手段）により音声が報知される際に、室内ファン１６の回転音によって音声報知が聞こえにくい問題を解消できる。
【００４８】
また、本実施形態の空気調和機１では、高温または高湿時など空調空間内の環境が危険状態である場合に自動的に音声で報知するお知らせモードにおいて、室内ファン１６の回転音によって音声報知が聞こえにくい問題が解消されるので、音声報知を聞き逃してユーザが熱中症などになるのを防止できる。
【００４９】
また、本実施形態の空気調和機１では、音声報知部３０（音声報知手段）により音声が報知される際に、圧縮機１０の最大周波数Ｈ１より小さい上限周波数Ｈ２以下に圧縮機１０の周波数が制限されるので、室内ファン１６の回転数が制限されている間に、圧縮機１０の周波数が高い状態のままとなって、圧縮機１０の内部が高圧となるのを防止できる。
【００５０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５１】
［変形例］
次に、本発明の変形例にかかる空気調和機について説明する。なお、以下において、上記実施形態と同様の構成を有するものについては、同じ符号を付してその説明を適宜省略する。
【００５２】
上記実施形態にかかる空気調和機１では、空気調和機１の高温防止モードが「お知らせモード」である場合に、室内ファン１６の回転数を、通常運転時における室内ファン１６の最大回転数Ｔ１より小さい上限回転数Ｔ２以下に制限するとともに、圧縮機１０の周波数を、圧縮機１０の最大周波数Ｈ１より小さい上限周波数Ｈ２以下に制限した。一方、変形例にかかる空気調和機では、音声報知部３０により音声が報知される際に、室内ファン１６の回転数を、通常運転時における室内ファン１６の最大回転数Ｔ１より小さい上限回転数Ｔ２以下に制限するとともに、圧縮機１０の周波数を、圧縮機１０の最大周波数Ｈ１より小さい上限周波数Ｈ２以下に制限してもよい。なお、「音声報知部３０により音声が報知される際」とは、応答音声報知部３１により音声が報知される際であってもよいし、自動音声報知部３２により音声が報知される際であってもよいし、その両方であってもよい。また、変形例にかかる空気調和機では、例えば音声報知部３０により音声が報知されている間、室内ファン１６の回転数および圧縮機１０の周波数が制限され、例えば音声報知部３０による音声報知が終了すると、室内ファン１６の回転数の制限および圧縮機１０の周波数の制限が解除される。ただし、音声報知部３０による音声報知が終了しても、室内ファン１６の回転数の制限および圧縮機１０の周波数の制限が解除されなくてもよい。また、音声報知部３０による音声報知が終了する前に、室内ファン１６の回転数の制限および圧縮機１０の周波数の制限が解除されてもよい。
【００５３】
この空気調和機の室内ファン制御部および圧縮機制御部では、例えば音声報知部３０が音声報知の開始信号を受信したときに、室内ファン１６の回転数を、通常運転時における室内ファン１６の最大回転数Ｔ１より小さい上限回転数Ｔ２以下に制限するとともに、圧縮機１０の周波数を、圧縮機１０の最大周波数Ｈ１より小さい上限周波数Ｈ２以下に制限する。そして、音声報知部３０が音声報知の開始信号を受信した後、少し遅れて音声報知が行われる。したがって、この変形例にかかる空気調和機では、音声報知部３０（音声報知手段）により音声が報知される際に、通常運転時における室内ファン１６の最大回転数Ｔ１より小さい上限回転数Ｔ２以下に室内ファン１６の回転数が制限されるので、室内ファン１６の回転音によって音声報知が聞こえにくい問題が解消される。また、音声報知部３０（音声報知手段）により音声が報知される際に、圧縮機１０の最大周波数Ｈ１より小さい上限周波数Ｈ２以下に圧縮機１０の周波数が制限されるので、室内ファン１６の回転数が制限されている間に、圧縮機１０の周波数が高い状態のままとなって、圧縮機１０の内部が高圧となるのが防止される。
【００５４】
［その他変形例］
上記実施形態では、お知らせモード時に、室内ファン１６の回転数を、通常運転時における室内ファン１６の最大回転数Ｔ１より小さい上限回転数Ｔ２以下に制限するとともに、圧縮機１０の周波数を、圧縮機１０の最大周波数Ｈ１より小さい上限周波数Ｈ２以下に制限した。しかし、お知らせモード時でなくても、自動音声報知部３２（自動音声報知手段）による自動音声報知が行われ得る自動音声報知モード時に、室内ファン１６の回転数および圧縮機１０の周波数を制限してもよい。また、上記変形例に示すように、音声報知部３０により音声が報知される際に、室内ファン１６の回転数および圧縮機１０の周波数を制限してもよい。
【００５５】
また、上記実施形態では、音声報知部３０（音声報知手段）により音声が報知される際に圧縮機１０の周波数を制限したが、圧縮機１０の周波数を制限しなくてもよい。
【００５６】
また、上記実施形態では、室内温度および室内湿度が所定範囲外（危険ゾーン）にある場合に、運転開始を促す情報または運転設定の変更を促す情報を自動的に音声で報知することとしたが、室内温度および室内湿度の少なくとも一方が所定範囲外にある場合に、運転開始を促す情報または運転設定の変更を促す情報を自動的に音声で報知してもよい。したがって、例えば、室内温度が所定温度よりも高い場合に、運転開始を促す情報または運転設定の変更を促す情報を自動的に音声で報知してもよいし、室内湿度が所定湿度よりも高い場合に、運転開始を促す情報または運転設定の変更を促す情報を自動的に音声で報知してもよい。
【００５７】
また、上記実施形態では、「通常運転時」とは、空気調和機１の高温防止モードが「強制運転モード」であるときや、空気調和機１の高温防止モードが設定されていない場合（高温防止モード「切」の場合）を指すが、通常運転時とは、室内ファン１６の回転数が制限されないあらゆる場合を指してもよい。
【産業上の利用可能性】
【００５８】
本発明を利用すれば、室内ファンの回転音によって音声報知が聞こえにくい問題を解消できる。
【符号の説明】
【００５９】
１  空気調和機
５  制御部（制御手段）
１０  圧縮機
１２  室外熱交換器（凝縮器、蒸発器）
１３  膨張弁
１４  室内熱交換器（凝縮器、蒸発器）
１６  室内ファン
２０  スピーカー（音声報知手段）
２１  室内温度センサ
２２  室内湿度センサ
３０  音声報知部（音声報知手段）
３１  自動音声報知部（自動音声報知手段）
【図１】
2015064137.tif 000003
【図２】
2015064137.tif 000004
【図３】
2015064137.tif 000005
【図４】
2015064137.tif 000006
【図５】
2015064137.tif 000007
【図６】
2015064137.tif 000008